(57)【要約】  【課題】  組み立て作業性が容易であり、運搬などの取り扱い作業性に優れた仮設足場用の足場板を提供する。  【解決手段】  所定間隔ごとに取り付け部が設けられた支柱１０１と、前記支柱１０１の取り付け部１０３に固定された水平材１０２とを備える仮設足場用建枠１００の前記水平材間１０２に掛け渡され、足場板本体２の両端から突出するように設けられ前記水平材１０２に係合可能なフック部材３と、前記フック部材３の間に前記足場板本体２の両端から突出するように設けられた前記足場板本体２と前記水平材１０２間に形成される隙間を塞ぐ隙間閉塞部材４とを備えた足場板であって、前記隙間閉塞部材４は、前記足場板本体２の上面に沿った方向に伸びる上面部１１と、前記上面部１１先端４ａから前記足場板端面に伸びる下面部１２とを備えた断面視中空の略三角形状に構成され、前記下面部１２の幅方向中間位置に下側貫通孔１４が形成されている。【選択図】  図４
2019015067.tif 000002
【特許請求の範囲】
【請求項１】
所定間隔ごとに取り付け部が設けられた支柱と、前記支柱の取り付け部に固定された水平材とを備える仮設足場用建枠の前記水平材間に掛け渡され、
足場板本体の両端から突出するように設けられ前記水平材に係合可能なフック部材と、前記フック部材の間に前記足場板本体の両端から突出するように設けられた前記足場板本体と前記水平材間に形成される隙間を塞ぐ隙間閉塞部材とを備えた足場板であって、
前記隙間閉塞部材は、前記足場板本体の上面に沿った方向に伸びる上面部と、前記上面部先端から前記足場板端面に伸びる下面部とを備えた断面視中空の略三角形状に構成され、
前記下面部の幅方向中間位置に下側貫通孔が形成されていることを特徴とする、足場板。
【請求項２】
さらに上面部の幅方向中間位置に上側貫通孔が形成されていることを特徴とする、請求項１に記載の足場板。
【請求項３】
前記下側貫通孔は、前記上側貫通孔よりも幅が広くなるように構成されていることを特徴とする、請求項２に記載の足場板。
【請求項４】
前記上面部は、前記フック部材の前記水平材の係止部分よりも短い突出幅となるように構成されていることを特徴とする、請求項１から３のいずれか１つに記載の足場板。
【請求項５】
前記下面部は、前記足場板本体の端面に当接するように構成されていることを特徴とする、請求項１から４のいずれか１つに記載の足場板。
【発明の詳細な説明】
【技術分野】
【０００１】
本発明は、建設作業現場などで用いられる仮設足場において、一定間隔ごとに設けられた互いに対向する足場用建枠の水平材の間に架け渡される足場板に関する。
【背景技術】
【０００２】
建設作業現場などで用いられる仮設足場は、鋼管からなる複数本の支柱を桁行き方向（建築物の壁面に沿った方向）及びはり間方向（建築物の壁面に垂直な方向）に所定間隔をおいて配置し、桁行き方向に隣接する支柱に鋼管からなる水平材を取り付けた仮設足場用建枠を形成し、さらに、はり間方向に隣接する水平材の間に足場板を掛け渡して構成される。ここで支柱は、一定間隔ごとに、水平材等を固定するための取り付け部が設けられており、当該取り付け部に水平材を固定することによって仮設足場用建枠が組み上げられる。
【０００３】
この仮設足場の足場板は、細長い平面長方形状の布枠に床板を取り付けた足場板本体と、足場板本体の両端に足場板本体から突出するように取り付けられるフック部材とを有している。この構成の足場板は、両端のフック部材を仮設足場の水平材に上から引っ掛けることで、隣接する水平材間に掛け渡されて固定される。
【０００４】
ところで、上記構成の足場板を足場枠組みに取り付けた場合、フック部材が足場板本体の端部から伸び出すようにして取り付けられているため、水平材と足場板本体との間に隙間が形成される。当該隙間から作業時に工具や建築部材等が落下する危険性がある。
【０００５】
このため、例えば、特許文献１（特開２００８−４５３９８号公報）などにおいて、隣接する足場板間に隙間が発生しないように、足場板固定後から取り付けて当該隙間を塞ぐ専用の部材が開示されている。しかし、足場板とは別の部材であり、コスト高になることや後から取り付けることから作業性が悪い等の不具合があった。
【０００６】
また、この隙間閉塞部材の上記問題を解消するために、足場板本体に隙間埋めプレートを設けた足場板が種々知られている。例えば、特許文献２（特開２００１−１８２３１５号公報）や特許文献３（特開２００１−２１４６０８号公報）には、足場板本体の両端から突出した状態に配置されたフック部材の間に隙間埋めプレートを備え、当該隙間埋めプレートは平面視で水平材の略半分の位置まで伸びるように構成された足場板が記載されている。
【０００７】
また、特許文献４（特開２００５−９１２７号公報）には、足場板本体の両端から突出した状態に配置されたフック部材の間に、一端側にのみ隙間埋めプレートを備え、当該隙間埋めプレートは、平面視で水平材を完全に被覆するような長さに構成された足場板が記載されている。
【０００８】
さらに、特許文献５（特開２００８−２３１８０４号公報）や特許文献６（意匠登録第１３８３１８８号公報）には、特許文献２及び特許文献３と同様に、平面視で水平材の略半分の位置まで伸びるように構成された隙間埋めプレートを備えた足場板が記載されており、当該隙間埋めプレートの形状として、側面視により平板状、三角形状などの種々の形状のものが記載されている。
【先行技術文献】
【特許文献】
【０００９】
【特許文献１】特開２００８−４５３９８号公報
【特許文献２】特開２００１−２１４６０８号公報
【特許文献３】特開２００１−１８２３１５号公報
【特許文献４】特開２００５−９１２７号公報
【特許文献５】特開２００８−２３１８０４号公報
【特許文献６】意匠登録第１３８３１８８号公報
【発明の概要】
【発明が解決しようとする課題】
【００１０】
しかし、上記特許文献の足場板はいずれも、隙間埋めプレートが平面視で水平材の上方に張り出すように配置されるため、隙間埋めプレートが支柱と水平材の連結機構や支柱自体等の仮設足場部材と干渉して使用時の組み立て作業性に問題が生じるという問題があった。
【００１１】
また、特許文献２，３などの隙間埋めプレートは、板状のプレートが隣接する足場板の隙間埋めプレートとほぼ隙間なく配置可能な程度まで突出して構成されているため、高所への運搬などの取り扱い時に、隙間埋めプレートが引っかかり作業性が悪くなる等の問題があった。
【００１２】
したがって、本発明が解決しようとする技術的課題は、組み立て作業性が容易であり、運搬などの取り扱い作業性に優れた仮設足場用の足場板を提供することである。
【課題を解決するための手段】
【００１３】
本発明は、上記技術的課題を解決するために、以下の構成の仮設足場用の足場板を提供する。
【００１４】
本発明の第１態様によれば、所定間隔ごとに取り付け部が設けられた支柱と、前記支柱の取り付け部に固定された水平材とを備える仮設足場用建枠の前記水平材間に掛け渡され、
足場板本体の両端から突出するように設けられ前記水平材に係合可能なフック部材と、前記フック部材の間に前記足場板本体の両端から突出するように設けられた前記足場板本体と前記水平材間に形成される隙間を塞ぐ隙間閉塞部材とを備えた足場板であって、
前記隙間閉塞部材は、前記足場板本体の上面に沿った方向に伸びる上面部と、前記上面部先端から前記足場板端面に伸びる下面部とを備えた断面視中空の略三角形状に構成され、
前記下面部の幅方向中間位置に下側貫通孔が形成されていることを特徴とする、足場板を提供する。
【００１５】
本発明の第２態様によれば、さらに上面部の幅方向中間位置に上側貫通孔が形成されていることを特徴とする、第１態様の足場板を提供する。
【００１６】
本発明の第３態様によれば、前記下側貫通孔は、前記上側貫通孔よりも幅が広くなるように構成されていることを特徴とする、第２態様の足場板を提供する。
【００１７】
本発明の第４態様によれば、前記上面部は、前記フック部材の前記水平材の係止部分よりも短い突出幅となるように構成されていることを特徴とする、第１から第３態様のいずれか１つの足場板を提供する。
【００１８】
本発明の第５態様によれば、前記下面部は、前記足場板本体の端面に当接するように構成されている、第１から第４態様のいずれか１つの足場板を提供する。
【発明の効果】
【００１９】
本発明によれば、隙間閉塞部材が断面視三角形に構成されているため、隙間閉塞部材に所定の厚みを持たせることが可能であり、運搬時などに他の部材に引っ掛かるなどの問題が少ない。また、断面視三角形状に構成された隙間閉塞部材は上面部と下面部に囲まれた中空の空間が形成され、さらに下面部に貫通孔が形成されているため、支柱に所定間隔ごとに設けられた取り付け部が当該隙間閉塞部材の下面部の下側貫通孔に入り込むことによって両者での干渉が生じない。したがって、支柱を挟んで足場板を固定するいわゆるまた掛けとすることも可能であり、組み立て作業の幅を広げて作業性を容易にすることができる。
【図面の簡単な説明】
【００２０】
【図１】本発明の第１実施形態にかかる足場板の構造を示す平面図である。
【図２】図１の足場板端部の部分拡大斜視図である。
【図３】裏面側から見た図１の足場板端部の部分拡大斜視図である。
【図４】図１の足場板の係止フック及び隙間閉塞部材の構成を示す断面図である。
【図５】図１の足場板の隙間閉塞部材の上面部の構成を模式的に示す平面図である。
【図６】図１の足場板の隙間閉塞部材の下面部の構成を模式的に示す底面図である。
【図７】図１の足場板を仮設足場用建枠にまた掛けした場合の足場板端部の状態を示す斜視図である。
【図８】図７におけるフランジと隙間閉塞部材との位置関係を示す断面図である。
【図９】本発明の第２実施形態にかかる足場板が仮設足場用建枠１１０にまた掛けされている状態を示す斜視図である。
【図１０】本実施形態にかかる足場板を取り付ける仮設足場用建枠の構成を説明する斜視図である。
【発明を実施するための形態】
【００２１】
以下、本発明の各実施形態に係る足場板について、図面を参照しながら説明する。
【００２２】
（第１実施形態）
図１は、本発明の第１実施形態にかかる足場板の構造を示す平面図である。図２は、図１の足場板端部の部分拡大斜視図である。図３は、裏面側から見た図１の足場板端部の部分拡大斜視図である。本実施形態にかかる足場板は、仮設足場１００の水平材１０２間に架け渡される。仮設足場１００は、図１０に示すように、建築物の周囲に沿って組み立てられる。仮設足場１００は、建築物の外周に沿って、所定間隔ごとに複数列に立設された複数の支柱１０１と、支柱の間に架設された水平材１０２とで枠組みされる。
【００２３】
仮設足場１００は、図１０に示すように、フランジ１０３が設けられた支柱１０１を桁行き方向及びはり間方向に所定の間隔をおいて格子状に配置し、当該フランジ１０３に水平材１０２を固定することで組み上げられる。なお、足場板１が固定される水平材１０２は、はり間方向に隣接する支柱同士をつなぐように配置されるが、仮設足場用建枠の補強のために桁行き方向にも水平材１０２ａを架設してもよい。
【００２４】
支柱１０１は、例えば、直径４５ｍｍ程度の金属パイプによって構成されており、長さ方向に複数本を連結して用いることができる。また、支柱１０１には、一定間隔ごと例えば、本実施形態では４５ｃｍごとに取り付け部の一例としてのフランジ１０３が設けられている。フランジ１０３は、複数の連結孔が設けられた板状の部材であり、水平材１０２の端部が当該フランジを挟んだ状態で配置され連結孔にくさびを挿入することで、水平材１０２と支柱１０１とが固定される。
【００２５】
足場板１は、図１に示すように、矩形に構成された足場板本体２と、足場板本体２の長手方向両端側に設けられた係止フック３と、係止フック３の間に配置された隙間閉塞部材４とが設けられている。
【００２６】
足場板本体２は、一体成形で加工され、板状の部材をコの字状とした棒材が組み合わされて矩形状に構成された足場板本体２の外縁を構成する側フレーム５と、側フレーム５に固定された天板６とで構成されている。なお、本実施形態では、側フレーム５の横幅及び長さ寸法が大きいため、側フレーム５には長手方向に伸びる中央梁７及び幅方向梁（図示なし）を設けている。
【００２７】
天板６は、複数の貫通孔が設けられたパンチングメタルで構成されている。なお、天板６としては、メッシュ状のエキスパンドメタルを用いてもよい。
【００２８】
側フレーム５の長手方向側両端に設けられている係止フック３は、図４に示すように、水平材１０２に係止して踏板を連結する。係止フック３は、足場板本体２の両端部の端面に基端側をリベットや溶接などで取り付けられている。
【００２９】
係止フック３は、水平材１０２に上から係合可能なＵ字状の係合溝８ａを先端部に有する板状の部材であるフック本体８と当該フック本体にスライド可能に設けられた落下防止ツメ９とを備えている。落下防止ツメ９は、図４に示すように、２つの長孔９ａを有しており、フック本体８に設けられた固定ピン１０によってフック本体８にスライド可能に設けられている。
【００３０】
なお、本実施形態において、係止フック３は、足場板本体２の両端部端面２ａから係合溝８ａまでの距離が、フランジ１０３の支柱からの突出幅よりも長くなるように構成されている。
【００３１】
係合溝８ａは、その上端部分が、足場板本体２や天板６の上面と略同じ高さとなるように構成されており、足場板１を水平材１０２に係合させたとき、水平材１０２の上面が天板６と略同じ高さとなるように構成されている。
【００３２】
係止フック３を水平材１０２に係合させるときは、落下防止ツメ９を上側に移動させることにより、係止フック３の係合溝８ａの下側を開放させて、水平材１０２を上側から係止フック３の係合溝８ａに嵌入させ、その後落下防止ツメ９を下方向に移動させることで、水平材１０２の下側に係止防止ツメ９を配置させることで、吹き上げなどによる足場板１の落下を防止する。
【００３３】
足場板本体２の両端部に取り付けられている係止フック３は、双方で取り付け位置を若干ずらして取り付けられているため、複数の足場板１が水平材１０２の間に互いに長手方向に連続して掛け渡される場合に、双方の係止フックが互いに干渉しあうことがなく、また、係止フックの周囲に生じる隙間を極力なくすことができる。
【００３４】
隙間閉塞部材４は、図２及び図３に示すように、足場板本体２の両端部端面２ａに溶接などの手段により固定される。隙間閉塞部材４は、１枚の金属板を略三角形状に折り曲げて構成され、足場板本体２の上面と略同じ高さで上面に沿って伸びるように設けられた上面部１１と、上面部１１に連続して設けられ、斜め方向に伸びる下面部１２とを備え、内部は中空に構成されている。なお、本実施形態では、下面部１２は、足場板本体２の両端部端面２ａに当接しているが、下面部１２の傾斜角度を異ならせて、側フレーム５の下端に当接するように構成してもよい。
【００３５】
また、上面部１１及び下面部１２には、それぞれ上側貫通孔１３，下側貫通孔１４が設けられている。図５、図６に示すように、上側貫通孔１３及び下側貫通孔１４は、それぞれ上面部１１及び下面部１２の幅方向中間部に設けられる。また、上側貫通孔１３及び下側貫通孔１４の幅方向寸法Ａ，Ｂは、特に制限されるものではない。
【００３６】
上側貫通孔１３は、落下防止のために幅方向寸法Ａを小さく構成することが好ましい。具体的には足場板１の幅方向寸法にもよるが、１から３ｃｍ程度であることが好ましい。
【００３７】
下側貫通孔１４は、後述するフランジとの干渉防止のため、上側貫通孔１３の幅方向寸法Ａよりも大きくすることが好ましい。具体的には下面部１２の幅寸法の１０〜６０％程度の幅寸法とすることができる。
【００３８】
上側貫通孔１３，下側貫通孔１４は、例えば、足場板１を吊り下げて高所に持ち上げる際に使用されるクレーンなどの吊り下げ部材を係止する場合に好適に使用することができる。すなわち、上側貫通孔１３は、足場板１の端部に設けられている隙間閉塞部材４の幅方向中央部に幅方向寸法Ａが小さく設けられているため、当該上側貫通孔１３に吊り下げ部材のフックなどを嵌合させて吊り下げた場合に、フックが上面部１１及び下面部１２の貫通孔周縁に接触するため吊り下げ姿勢が安定し、安全に足場板１を昇降させることができる。
【００３９】
また、隙間閉塞部材４は断面形状が略三角形状となっているため、隙間閉塞部材４の引っかかりなどが生じにくく、取り扱い作業性に優れている。
【００４０】
隙間閉塞部材４の先端部４ａは、図４に示すように、側方から見て係止フック３の係合溝８ａの周縁部分８ｂにごく近接し、かつ周縁部分８ｂよりも遠位側に突出しないように構成されている。具体的には、図４に示すように、係止フックの先端部４ａが側面から見て係合溝８ａの周縁部分８ｂよりも遠位側に位置し、係合溝８ａと重ならないように構成されている。
【００４１】
このように隙間閉塞部材４を構成することにより、図７に示すように、支柱を間に挟んで足場板１を水平材１０２に係止するいわゆるまた掛けが可能となり、仮設足場への組み立て作業の幅を広げて作業性を容易にすることができる。
【００４２】
また、上記のように、係合溝８ａの上縁、足場板本体２の上面、隙間閉塞部材４の上面部１１がいずれも同じ高さであるため、隙間閉塞部材４の先端と水平材１０２との隙間を小さくすることができ、隙間閉塞部材４を水平材１０２の上側へ被覆するように突出させなくても、工具などの落下を有効に防止することができる。
【００４３】
なお、足場板１を水平材１０２にまた掛けした場合、支柱が係止フック３の間に存在することとなる。本実施形態にかかる足場板１は、支柱１０１に設けられるフランジ１０３は、図８に示すように、隙間閉塞部材４の下面部１２に設けられている下側貫通孔１４により隙間閉塞部材４の中空部分に入り込み、隙間閉塞部材４との干渉が回避される。
【００４４】
本実施形態にかかる足場板によれば、隙間閉塞部材４が断面視三角形に構成されているため、隙間閉塞部材４に所定の厚みを持たせることが可能であり、運搬時などに他の部材に引っ掛かるなどの問題が少ない。また、断面視三角形状に構成された隙間閉塞部材４は上面部１１と下面部１２に囲まれた中空の空間が形成され、さらに下面部に下側貫通孔１４が形成されているため、支柱１０１に所定間隔ごとに設けられたフランジ１０３が当該隙間閉塞部材の下面部１２の下側貫通孔１４に入り込むことによって両者での干渉が生じない。したがって、支柱を挟んで足場板１を固定するいわゆるまた掛けとすることも可能であり、組み立て作業の幅を広げて作業性を容易にすることができる。
【００４５】
（第２実施形態）
図９は、本発明の第２実施形態にかかる足場板２１が仮設足場用建枠１１０にまた掛けされている状態を示す斜視図である。本実施形態にかかる足場板２１は、第１実施形態にかかる足場板１とほぼ同じ構成であるが、天板がエキスパンドメタル２６で構成されている点において異なる。
【００４６】
また、本実施形態における仮設足場用建枠１１０は、支柱１１１に設けられている水平材１１２との連結に用いる取り付け部がコマ１１３ａ，１１３ｂと呼ばれる上下方向に開口を有する断面コの字状の金属部材で構成されている。
【００４７】
コマは支柱１１１の周囲に９０度ずつの位相差を持って４つが一組として設けられており、上下方向の位置が異なるようになっている。上側のコマ１１３ａと下側のコマ１１３ｂは互いに１８０度の位相差で配置される。
【００４８】
コマ１１３ａ，１１３ｂと水平材１１２は、水平材１１２の両端に設けられているくさび１１２ａをコマ１１３ａ，１１３ｂの上側から挿入することにより固定される。水平材１１２を固定するコマは、上側のコマ１１３ａでも下側のコマ１１３でもどちらでもよいが、図９では、下側のコマ１１３ｂに水平材を固定する状態を示している。
【００４９】
また、係止フック２３の係合溝の上縁、足場板本体２２の上面、隙間閉塞部材２４の上面部３１がいずれも同じ高さとなるように構成されているため、隙間閉塞部材２４の先端と水平材１１２との隙間を小さくすることができ、隙間閉塞部材２４を水平材１１２の上側へ被覆するように突出させなくても、工具などの落下を有効に防止することができる。
【００５０】
この状態の仮設足場用建枠１１０に本実施形態にかかる足場板２１をまた掛けすると、足場板２１の端面に対向する上側のコマ１１３ａが隙間閉塞部材２４に干渉する。このため、本実施形態にかかる足場板２１は、第１実施形態にかかる足場板１と同様に、上側のコマ１１３ａが隙間閉塞部材２４の下面部３２に設けられている下側貫通孔３４により隙間閉塞部材２４の中空部分に入り込み、隙間閉塞部材２４との干渉が回避される。
【００５１】
また、上側貫通孔３３，下側貫通孔３４は、例えば、足場板２１を吊り下げて高所に持ち上げる際に使用されるクレーンなどの吊り下げ部材を係止する場合に好適に使用することができる。
【００５２】
このように、本発明の各実施形態によれば、隙間閉塞部材が所定の厚みを持って構成されているため、運搬時などに他の部材に引っ掛かるなどの問題が少ない。また、隙間閉塞部材４の上面部１１と下面部１２に囲まれた領域は中空であり、さらに下面部に下側貫通孔１４が形成されているため、支柱１０１に所定間隔ごとに設けられた支柱の取り付け部を収容することができ、支柱との干渉が生じない。
【００５３】
なお、本発明は上記実施形態に限定されるものではなく、その他種々の態様で実施可能である。例えば、上記実施形態では、係合溝８ａの上縁、足場板本体２の上面、隙間閉塞部材４の上面部１１がいずれも同じ高さとすることで先端と水平材１０２との隙間を小さくすることとしているが、例えば、少なくとも係合溝８ａ手前側の縁と隙間閉塞部材４の先端がごく近接していれば、上面部１１と水平材の上端及び足場板本体２の上面との間に段差が設けられていても水平材１０２との隙間を小さくすることが可能である。すなわち、隙間閉塞部材４の上面部１１と水平材１０２及び足場板本体２の上面とに多少の段差が設けられていてもよい。
【符号の説明】
【００５４】
１，２１  足場板
２，２２  足場板本体
２ａ  両端部端面
３，２３  係止フック
４，２４  隙間閉塞部材
４ａ  先端部
５，２５  側フレーム
６，２６  天板
７，２７  中央梁
８  フック本体
８ａ  係合溝
８ｂ  周縁部分
９  落下防止ツメ
９ａ  長孔
１０  固定ピン
１１，３１，  上面部
１２，３２  下面部
１３，３３  上側貫通孔
１４，３４  下側貫通孔
１００，１１０  仮設足場
１０１，１１１  支柱
１０２，１０２ａ，１１２  水平材
１１２ａ  くさび
１０３  フランジ
１１３ａ，１１３ｂ  コマ
【図１】
2019015067.tif 000003
【図２】
2019015067.tif 000004
【図３】
2019015067.tif 000005
【図４】
2019015067.tif 000006
【図５】
2019015067.tif 000007
【図６】
2019015067.tif 000008
【図７】
2019015067.tif 000009
【図８】
2019015067.tif 000010
【図９】
2019015067.tif 000011
【図１０】
2019015067.tif 000012